(57)【特許請求の範囲】
【請求項１】
ベース（１０）と、
前記ベース（１０）に設けられるストッパー（１１）と、
前記ストッパー（１１）に覆設され、前記ストッパー（１１）の第一側に位置するプラテン（２０４）および前記プラテン（２０４）に接続する両側壁（２０３、２０５）を備え、前記両側壁（２０３、２０５）が前記ストッパー（１１）に枢着することにより、前記Ｕ字状の可動プラテン（２０）が前記ストッパー（１１）に対して回転可能になると共に、前記プラテン（２０４）と前記ストッパー（１１）の間に圧合や開放可能なＶ字状の圧砕チャンバーが形成されるＵ字状の可動プラテン（２０）と、
前記ストッパー（１１）に枢着する第１端および第２端を備え、前記ストッパー（１１）の他側に位置するリンク（３０）と、
第３の軸ピン（４１）によって前記リンク（３０）の第２端に枢着する第１端、および前記両側壁（２０３、２０５）に枢着する枢着部を備えるハンドグリップ（４０）と、を備え、
前記ハンドグリップ（４０）が押下げられるにつれて、前記リンク（３０）と前記ハンドグリップ（４０）の間の角度が大きくなり、前記Ｖ字状の圧砕チャンバーの空間が次第に閉合され、前記ハンドグリップ（４０）が持ち上げられるにつれて、前記リンク（３０）と前記ハンドグリップ（４０）の間の角度が小さくなり、前記Ｖ字状の圧砕チャンバーの空間が次第に開放されることを特徴とするピルクラッシャー。
【請求項２】
前記ストッパー（１１）は、前記ベースに固定するストッププレート（１１５）および両側壁（１１１、１１２）を備えるＵ字状の固定ストッパー（１１）であり、
前記Ｕ字状の可動プラテン（２０）の側壁（２０３、２０５）の下部および前記Ｕ字状の固定ストッパー（１１）の側壁（１１１、１１２）の下部は、第１の軸ピン（２１）によって枢着され、
前記Ｕ字状の固定ストッパー（１１）の側壁（１１１、１１２）の上部および前記リンク（３０）の第１端は、第２の軸ピン（３１）によって枢着され、
前記Ｕ字状の可動プラテン（２０）の側壁（２０３、２０５）の上部は、第４の軸ピン（２２）によって前記ハンドグリップ（４０）の枢着部に枢着されることを特徴とする請求項１に記載のピルクラッシャー。
【請求項３】
前記ストッパー（１１）は、ストッププレート（１１５）および両側壁（１１１、１１２）を備えるＵ字状の半固定ストッパー（１１）であり、
前記Ｕ字状の可動プラテン（２０）の側壁（２０３、２０５）の下部および前記Ｕ字状の半固定ストッパー（１１）の側壁（１１１、１１２）の下部は、第１の軸ピン（２１）によって枢着され、
前記Ｕ字状の半固定ストッパー（１１）の側壁（１１１、１１２）の上部および前記リンク（３０）の第１端は、第２の軸ピン（３１）によって枢着され、
前記Ｕ字状の可動プラテン（２０）の側壁（２０３、２０５）の上部は、第４の軸ピン（２２）によって前記ハンドグリップ（４０）に枢着されることを特徴とする請求項１に記載のピルクラッシャー。
【請求項４】
前記Ｕ字状の半固定ストッパー（１１）の側壁（１１１、１１２）の下部は前記ベース（１０）上の固定ブロック（１３）に枢着され、前記Ｕ字状の半固定ストッパー（１１）の両側壁（１１１、１１２）の開放端に、圧縮可能なバッファースプリング（１４１、１４２）がそれぞれ設けられ、前記バッファースプリング（１４１、１４２）の一端は、前記Ｕ字状の半固定ストッパー（１１）の側壁に弾接され、他端は前記ベース（１０）に弾性支持されることにより、前記Ｕ字状の半固定ストッパー（１１）の側壁（１１１、１１２）の底縁と前記ベース（１０）の間にウェッジ空間（１４３）が形成されることを特徴とする請求項３に記載のピルクラッシャー。
【請求項５】
前記Ｕ字状の半固定ストッパー（１１）の各側壁（１１１、１１２）の開放端に、前記バッファースプリングを装着するためのｍ字状の切り目がそれぞれ開設されることを特徴とする請求項４に記載のピルクラッシャー。
【請求項６】
前記第２の軸ピン（３１）、第３の軸ピン（４１）および第４の軸ピン（２２）における少なくとも１つまたは全部の軸ピンに弾性ブシュ（４０１）が装着されることを特徴とする請求項２〜５の何れか１項に記載のピルクラッシャー。
【請求項７】
前記ベース（１０）に、前記ハンドグリップ（４０）の押下げ距離を制限するストップポスト（１２）が設けられることを特徴とする請求項６に記載のピルクラッシャー。
【請求項８】
前記ストップポスト（１２）の上部にラバーパッド（１２１）が設けられることを特徴とする請求項７に記載のピルクラッシャー。
【請求項９】
前記ストッププレート（１１５）や前記プラテン（２０４）に複数の滑り止めストライプ（１１３、１１４）や滑り止めパターンが設けられることを特徴とする請求項４に記載のピルクラッシャー。
【請求項１０】
前記Ｕ字状の半固定ストッパー（１１）の側壁（１１１、１１２）はＬ字状であることを特徴とする請求項３に記載のピルクラッシャー。
【請求項１１】
前記Ｕ字状の可動プラテン（２０）の側壁（２０３、２０５）は逆Ｌ字状であることを特徴とする請求項１に記載のピルクラッシャー。
【請求項１２】
前記ベース（１０）に着脱可能に装着される上蓋（５０）をさらに含み、前記上蓋と前記ベースの間にピルポーチ室が形成されることを特徴とする請求項１に記載のピルクラッシャー。
【請求項１３】
前記上蓋（５０）は、前記ストッパー（１１）および前記Ｕ字状の可動プラテン（２０）の一部をさらに覆うと共に、前記ハンドグリップ（４０）が外へ延在するための開口が設けられることを特徴とする請求項１２に記載のピルクラッシャー。
【発明の詳細な説明】
【技術分野】
【０００１】
本発明は、薬品使用を支援する医療機器に関し、特にピルクラッシャーに関する。
【背景技術】
【０００２】
大部分の経口薬は、異なる形状および大きさのピルを物理形態として、患者に経口で使用される。いわゆるピルは、薬物および賦形剤が均一に混合された後、特定の成型プロセスによって加工された円片状や異形状の錠剤であり、剤量が正確で、質量が安定し、携帯や輸送が便利である等の長所を備え、現代の製薬業界で広く応用される。治療や、一錠の剤量および原材料の比例等の様々な要求に基づいて、異なる薬品は、ピルの形状や大きさ等に対して異なる要求がある。例えば、ビタミン錠剤やカルシウム錠剤等は、一般に大きいため、普通の人が一回で一錠または複数錠を飲むことが便利ではない。特に、特殊な患者、例えば、老人、子供、手術後の患者、嚥下困難を有する患者あるいは意識不明な患者等が直接にピルを飲むことが難しい可能性があり、経口薬の使用に制限があり、さらに患者の治療を影響する。
【０００３】
したがって、必要があっても標準錠剤を正常に飲むことができない患者が薬品を飲んで適切な治療を受けるように、適合なピルを破片や粉末に圧砕できる機器が必要になっている。このピルクラッシャーは、安全性、高効率性、低コスト性、静粛性、省力性、使いやすさを有し、薬品の交差汚染を避けることができる等の長所を備えるべきである。ただし、従来のピルクラッシャー、例えば「薬搗き缶」は、簡単な衝撃、研磨や単一なてこ構造を多く使用してピルの圧砕動作を実現するので、効率が低下し、騒音が大きい、あるいはきついため、ピル圧砕過程においてピルの剤量損失または交差汚染等を防止できない。従って、ピルを安全且つ有効に圧砕する要求を完全に満足することが困難である。特に、医療スタッフが医療機構でピルクラッシャーを使用する場合、ピル圧砕の速度、効率、静かさの程度、外因性／交差汚染の防止および省力の程度等の特性は、特に重要である。
【０００４】
例えば、出願日が２００６年９月２１日であり、ＪａｍｅｓＡ.Ｄｏｎｏｖａｎ等のアメリカの特許文献１は、クランクてこの原理を利用してハンドグリップの回動をピル圧砕プレートの平行移動に転換させて、同一平面の底板に固定される固定板へ押圧し、２つのプラテンとの間のピルを圧砕して、ピル圧砕の目的を実現する設備を提供した。ただし、この構造は、複雑すぎて、使用過程において、多くの摩擦があるため、大きい騒音を生成してしまい、加工が不便になり、コストが高くなり、ユーザの要求を完全に満足できない。また、例えば、出願日が１９７４年４月２４日であり、ＢｉｌｌＷｅｂｂＥｌｋｉｎｓ等のアメリカの特許文献２は、シングルてこの原理を利用してハンドグリップの回動を下向きのピル圧砕の動作を転換させてピルを圧砕する、とても簡単な設備を提供した。ただし、このシングルてこの構造は、倍力を有効に提供できないため、使用がきつい、特に医療機構での使用過程において、多くのピルを繰り返して圧砕することが不便である。また、出願日が１９９０年１２月１２日であり、ＤａｖｉｄＷ.Ｇｏｒｄｏｎ等のアメリカの特許文献３は、簡単な携帯型ピルクラッシャーを提供した。それは、ねじ回動の原理を利用して回動を直線運動に転換させて、ピル圧砕の動作を実現する。この構造は、きついが、簡単、且つ加工が便利であり、特に家庭や個人等の少量のピルの圧砕の使用に適合する。ただし、医療機構における大量のピルの圧砕の要求を満足できない。
【０００５】
本発明は、以上の問題に鑑み、上述した困難を克服や減少できるピルクラッシャーを提供する。
【先行技術文献】
【特許文献】
【０００６】
【特許文献１】米国特許第特許ＵＳ７４１３１３７号明細書
【特許文献２】米国特許第特許ＵＳ３９１５１９３号明細書
【特許文献３】米国特許第特許ＵＳＤ３３７８２８号明細書
【発明の概要】
【発明が解決しようとする課題】
【０００７】
本発明の目的は、先行技術の困難を克服して、安全である、省力化が図れる、効率が高い、低騒音である、加工が容易である、低コストである、清潔さを維持しやすい、交差汚染を有効に防止できる等の安全有効なピル圧砕の要求をより完全に満足するピルクラッシャーを提供する。
【課題を解決するための手段】
【０００８】
上述目的を実現するため、本発明に係るピルクラッシャーは、
ベースと、
前記ベースに設けられるストッパーと、
前記ストッパーに覆設され、前記ストッパーの第一側に位置するプラテンおよび前記プラテンに接続する両側壁を備え、前記両側壁が前記ストッパーに枢着することにより、前記Ｕ字状の可動プラテンが前記ストッパーに対して回転可能になると共に、前記プラテンと前記ストッパーの間に圧合や開放可能なＶ字状の圧砕チャンバーが形成されるＵ字状の可動プラテンと、
前記ストッパーに枢着する第１端および第２端を備え、前記ストッパーの他側に位置するリンクと、
第３の軸ピンによって前記リンクの第２端に枢着する第１端および前記両側壁に枢着する枢着部を備えるハンドグリップと、
を備えており、
前記ハンドグリップが押下げられるにつれて、前記リンクと前記ハンドグリップの間の角度が大きくなり、前記Ｖ字状の圧砕チャンバーの空間が次第に閉合され、前記ハンドグリップが持ち上げられるにつれて、前記リンクと前記ハンドグリップの間の角度が小さくなり、前記Ｖ字状の圧砕チャンバーの空間が次第に開放される。
【０００９】
また、前記ストッパーは、前記ベースに固定するストッププレートおよび両側壁を備えるＵ字状の固定ストッパーであり、
前記Ｕ字状の可動プラテンの側壁の下部および前記Ｕ字状の固定ストッパーの側壁の下部は、第１の軸ピンによって枢着され、
前記Ｕ字状の固定ストッパーの側壁の上部および前記リンクの第１端は、第２の軸ピンによって枢着され、
前記Ｕ字状の可動プラテンの側壁の上部は、第４の軸ピンによって前記ハンドグリップの枢着部に枢着されることが好ましい。
【００１０】
また、前記ストッパーは、ストッププレートおよび両側壁を備えるＵ字状の半固定ストッパーであり、
前記Ｕ字状の可動プラテンの側壁の下部および前記Ｕ字状の半固定ストッパーの側壁の下部は、第１の軸ピンによって枢着され、
前記Ｕ字状の半固定ストッパーの側壁の上部および前記リンクの第１端は、第２の軸ピンによって枢着され、
前記Ｕ字状の可動プラテンの側壁の上部は、第４の軸ピンによって前記ハンドグリップに枢着されることが好ましい。
【００１１】
また、前記Ｕ字状の半固定ストッパーの側壁の下部は前記ベース上の固定ブロックに枢着され、前記Ｕ字状の半固定ストッパーの両側壁の開放端に、圧縮可能なバッファースプリングがそれぞれ設けられ、前記バッファースプリングの一端は、前記Ｕ字状の半固定ストッパーの側壁に弾接され、他端は前記ベースに弾性支持されることにより、前記Ｕ字状の半固定ストッパーの側壁の底縁と前記ベースの間にウェッジ空間が形成されることが好ましい。
【００１２】
また、前記Ｕ字状の半固定ストッパーの各側壁の開放端に、前記バッファースプリングを装着するためのｍ字状の切り目がそれぞれ開設されることが好ましい。
【００１３】
また、前記第２の軸ピン、第３の軸ピンおよび第４の軸ピンにおける少なくとも１つまたは全部の軸ピンに弾性ブシュが装着されることが好ましい。
【００１４】
また、前記ベースに、前記ハンドグリップの押下げ距離を制限するストップポストが設けられることが好ましい。
【００１５】
また、前記ストップポストの上部にラバーパッドが設けられることが好ましい。
【００１６】
また、前記ストッププレートや前記プラテンに複数の滑り止めストライプや滑り止めパターンが設けられることが好ましい。
【００１７】
また、前記Ｕ字状の半固定ストッパーの側壁はＬ字状であることが好ましい。
【００１８】
また、前記Ｕ字状の可動プラテンの側壁は逆Ｌ字状であることが好ましい。
【００１９】
また、前記ベースに着脱可能に装着される上蓋をさらに含み、前記上蓋と前記ベースの間にピルポーチ室が形成されことが好ましい。
【００２０】
また、前記上蓋は、前記ストッパーおよび前記Ｕ字状の可動プラテンの一部をさらに覆うと共に、前記ハンドグリップが外へ延在するための開口が設けられることが好ましい。
【００２１】
以上の技術案によれば、本発明の実施例に係るピルクラッシャーは、Ｖ字状の圧砕チャンバーおよびリンク構造を採用することにより、使用者、特に医療機構の使用者へ良いピル圧砕の機器を提供する。本発明の実施例に係るピルクラッシャーは、てこの省力原理を十分に利用して、特に２つのバッファースプリングによって圧縮や回復可能なウェッジ領域を形成するため、ピル圧砕の反作用力を大幅に緩和し、使用者の負荷を軽減でき、特に医療スタッフの長期使用による手首部や肘部の潜在的な損傷を減少できる。
【図面の簡単な説明】
【００２２】
【図１】本発明の第１の実施例に係るピルクラッシャーの斜視図である。
【図２】本発明の第１の実施例に係るピルクラッシャーの分解図である。
【図３】図１に示されるピルクラッシャーがピル圧砕を行う前にハンドグリップを持ち上げる時の状態図である。
【図４】図１に示されるピルクラッシャーがピル圧砕の操作を行う時にハンドグリップを押下げた後の状態図である。
【図５】図４の状態の縦断面図である。
【図６】本発明の第２の実施例に係るピルクラッシャーの斜視図である。
【図７】本発明の第２の実施例に係るピルクラッシャーの分解図である。
【図８】本発明の第３の実施例に係るピルクラッシャーの斜視図である。
【図９】本発明の第３の実施例に係るピルクラッシャーの分解図である。
【図１０】本発明の第３の実施例における上蓋を取り除いたピルクラッシャーの斜視図である。
【図１１】本発明の第３の実施例におけるＵ字状の半固定ストッパーの斜視図である。
【図１２】本発明の第３の実施例におけるＵ字状の可動プラテンの斜視図である。
【図１３】本発明の第３の実施例におけるピルクラッシャーが開放状態にある模式図である。
【図１４】本発明の第３の実施例におけるピルクラッシャーが圧合状態にある模式図である。
【図１５】本発明の第３の実施例におけるピルクラッシャーが圧合状態にある縦断面図である。
【図１６】本発明の第４の実施例に係るピルクラッシャーの縦断面図である。
【発明を実施するための形態】
【００２３】
以下、図面を参照しながら本発明に係るピルクラッシャーの実施例を説明する。
【００２４】
本発明のピルクラッシャーは、ベースと、ストッパーと、Ｕ字状の可動プラテンと、リンクと、ハンドグリップとを含む。ストッパーは、ベースに固定にまたは可動可能に設けられる。Ｕ字状の可動プラテンは、ストッパーに覆設され、且つ、ストッパーの第一側に位置するプラテンおよびプラテンに接続する両側壁を含み、両側壁がストッパーに枢着されるため、Ｕ字状の可動プラテンがストッパーに対して回転可能になると共に、プラテンとストッパーの間に、圧合や開放可能なＶ字状の圧砕チャンバーを形成する。リンクは、ストッパーの他側に位置し、且つ、ストッパーに枢着する第１端および第２端を備える。ハンドグリップは、第３の軸ピンによってリンクの第２端に枢着する第１端、および両側壁に枢着する枢着部を備える。ハンドグリップを押下げるにつれて、リンクとハンドグリップとの間の角度が大きくなり、Ｖ字状の圧砕チャンバーの空間が次第に閉合され、ハンドグリップを持ち上げるにつれて、リンクとハンドグリップの間の角度が小さくなり、Ｖ字状の圧砕チャンバーの空間が次第に開放される。
【００２５】
第１の実施例
図１〜図５を参照すると、本発明の第１の実施例に係るピルクラッシャーは、ベース１０と、Ｕ字状の固定ストッパー１１と、Ｕ字状の可動プラテン２０と、リンク３０と、ハンドグリップ４０とを含む。
【００２６】
ベース１０には、ハンドグリップ４０の押下げ距離を制限するストップポスト１２が設けられる。ストップポスト１２の上部には、ラバーパッド１２１が設けられる。ストップポスト１２およびラバーパッド１２１は、ハンドグリップ４０を便利に握持するように、静止状態において、ハンドグリップ４０を支持して当該ハンドグリップ４０を適当な位置に位置させる役割を果たせる。また、使用中において、ハンドグリップ４０の押下げ距離が大き過ぎることを防止し、Ｕ字状の可動プラテン２０とＵ字状の固定ストッパー１１の間の押出力が大き過ぎることを防止できる。
【００２７】
Ｕ字状の固定ストッパー１１は、ベース１０に設けられ、ベースに固定されるストッププレート１１５および両側壁１１１、１１２を備える。ここで、Ｕ字状の固定ストッパー１１は、好ましい構造であり、同様に軸孔が設けられるストップポストまたはストッププレートを採用して、Ｕ字状の可動プラテン２０と協力して同様な構造を実現してもよいが、これに限定されない。
【００２８】
Ｕ字状の可動プラテン２０は、ストッパー１１に覆設され、ストッパー１１の第一側に位置するプラテン２０４と、プラテン２０４に接続する両側壁２０３、２０５とを備え、Ｕ字状の可動プラテン２０の側壁２０３、２０５の下部とＵ字状の固定ストッパー１１の側壁１１１、１１２の下部は、第１の軸ピン２１によって枢着するため、Ｕ字状の可動プラテン２０がストッパー１１に対して回転可能になると共に、プラテン２０４とストッパー１１の間に、圧合や開放可能なＶ字状の圧砕チャンバーを形成する。すなわち、Ｕ字状の可動プラテン２０は、第１の軸ピン２１を回ってＵ字状の固定ストッパー１１に対して回動を実現でき、両者によりピルを圧砕できるＶ字状の圧砕チャンバーを形成する。本実施例において、Ｕ字状の可動プラテン２０の側壁２０３、２０５は、逆Ｌ字状であるが、本発明はこれに限定されない。
【００２９】
リンク３０は、ストッパー１１の他側に位置し、且つ、第２の軸ピン３１によってＵ字状の固定ストッパー１１の側壁１１１、１１２の上部に枢着する第１端（即ち、前端）と、第２端とを備える。ハンドグリップ４０は、第３の軸ピン４１によってリンク３０の第２端に枢着する第１端と、第４の軸ピン２２によってＵ字状の可動プラテン２０の両側壁２０３、２０５の上部に枢着する枢着部とを備える。ハンドグリップ４０を押下げるにつれて、リンク３０とハンドグリップ４０との間の角度が大きくなり、Ｖ字状の圧砕チャンバーの空間が次第に閉合され、ハンドグリップ４０を持ち上げるにつれて、リンク３０とハンドグリップ４０との間の角度が小さくなり、Ｖ字状の圧砕チャンバーの空間が次第に開放される。
【００３０】
リンク３０の前端（即ち、第１端）は、Ｕ字状の固定ストッパー１１の両側壁（即ち、側壁１１１、１１２）の上部に、軸ピン３１によって接続し、リンクの他端は、軸ピン４１によってハンドグリップ４０の前端（即ち、第１端）に接続し、Ｕ字状の可動プラテンは、Ｕ字状の固定ストッパーの両側壁の下部に接続する軸ピン２１を回って回動してもよく、ハンドグリップ前端の後方側（即ち、枢着部）は、軸ピン２２によってＵ字状の可動プラテンのＬ字状の側面上部末端に接続してもよい。４つの軸ピン２１、２２、３１、４１は、それらに接続される要素がそれぞれ軸ピン２１、２２、３１、４１を回って回動するようにする。使用者は、ハンドグリップ４０に力を加えることによって、さらにリンク構造を介して、Ｕ字状の可動プラテン２０とＵ字状の固定ストッパー１１の間を開閉させ、これにより、Ｖ字状の圧砕チャンバーの空間の開閉を制御する。
【００３１】
本発明のピルクラッシャーは、Ｕ字状の可動プラテンの底部とＵ字状の固定ストッパー１１の両側壁底部との接続、リンク３０の前端とＵ字状の固定ストッパー１１の上部との接続、ハンドグリップ４０の前端とリンク３０の後端との接続、ハンドグリップ４０の前端の後方側部とＵ字状の可動プラテン２０の上部末端との接続によって、ハンドグリップ４０が回動される場合、Ｕ字状の可動プラテン２０が軸ピン２１を回ってＵ字状の固定ストッパーに対する押え動作を引き起こして、ハンドグリップ４０の運動ストロークをＵ字状の可動プラテンの回動に転換させる。圧砕する必要がある薬品をビニール袋に入れて、Ｕ字状の可動プラテン２０とＵ字状の固定ストッパー１１の間に介在させると、Ｕ字状の可動プラテン２０のＵ字状の固定ストッパー１１への回動閉合により、ピルを押圧して粉砕できる。
【００３２】
ここで、ストッププレート１１５やプラテン２０４に、いくつかの滑り止めストライプ１１３、１１４または滑り止めパターンが設けられるが、これに限定されない。本発明のＵ字状の可動プラテン２０の表面および／またはＵ字状の固定ストッパー１１の表面に、例えば、横ストライプ、斜ストライプ、縦ストライプ等の表面から突出する滑り止めストライプおよび／またはパターンが設けられてもよい。これにより、ピル圧砕過程において、押え動作により生成する、ピルが押圧領域に沿ってスライドすることを防止でき、さらにピル圧砕の効率および効果を向上できる。
【００３３】
以下、主に図３〜図５を参照して、本発明の第１の実施例に係るピルクラッシャーの操作ステップを説明する。図３に示すように、ピル粉砕を行う前に、ハンドグリップ４０の遊端（リンク３０が接続されていない一端）が持ち上げられて、Ｕ字状の可動プラテン２０が駆動されてＵ字状の固定ストッパー１１から離れる方向に回動され、この時、ピルが入れられたビニール袋をＵ字状の可動プラテン２０とＵ字状の固定ストッパー１１の間に介在させ、その後、ハンドグリップ４０を図３に示す矢印方向に押下げる。この時、Ｕ字状の可動プラテン２０は、リンク３０およびハンドグリップ４０に引かれて、Ｕ字状の固定ストッパー１１へ移動し、Ｕ字状の可動プラテン２０とＵ字状の固定ストッパー１１の間に位置する薬品を押出して粉砕を実現する。ハンドグリップ４０が完成に押下げられてストップポスト１２上のラバーパッド１２１に当接して停止する場合、ピルクラッシャーが図４および図５に示される状態になる。
【００３４】
本発明の第１の実施例に係るピルクラッシャーの有益な効果は下記の通りである。即ち、本発明に係るピルクラッシャーは、てこの機械原理を十分に利用して、ハンドグリップ４０の施力端の力を最大限度に拡大／転換させて押圧領域へ伝達して、有効なピル圧砕の操作を形成し、これにより、省力を実現して、操作者に対する長期使用による手首部や肘部の潜在的な損傷を減少する。
【００３５】
具体的に、押圧操作において、ハンドグリップ４０を押下げれば押下げるほど、Ｕ字状の可動プラテン２０がＵ字状の固定ストッパー１１へ引かれ、ピルの粉砕につれて、ピルの密度が大きくなり、ピル圧砕領域内のピル欠片が生成する抵抗力が大きくなり、ピル圧砕を続けることに必要な力が大きくなり、ハンドグリップ４０に伝達した後、使用者がよりきついと感じる。ただし、本発明の長所は、ハンドグリップ４０とリンク３０およびＵ字状の固定ストッパー１１の両側壁の上部の軸ピン３１との支点がいずれもハンドグリップ４０の端部に接近し、同じ長さのハンドグリップ４０である場合、てこの原理に基づいて、ハンドグリップ施力端の力の倍数を最大限度に拡大する。さらに、ハンドグリップ４０の施力端を押下げれば押下げるほど、固定支点の軸ピン３１、活動支点の軸ピン４１および軸ピン２２という３点がほぼ直線になり、即ち、ハンドグリップ４０とリンク３０とが形成する角度が１８０度に近づいて、てこの原理に基づいて、この時組み合わせて生成する力の拡大倍数が大きくなり、さらにより大きい引張力が生成されてＵ字状の可動プラテン２０をＵ字状の固定ストッパー１１へ引かせ、ピル圧砕の効果をさらに向上させると共に、省力化の感覚を実現する。
【００３６】
そして、逆Ｌ字状のＵ字状の可動プラテン２０とＵ字状の固定ストッパー１１が形成する押圧領域の底部が開放構造であるため、ダストまたはピルポーチの偶発的な破裂による粉薬漏洩が形成する粉薬やダートの累積を防止できると共に、メンテナンスやクリーニングが便利になり、清潔を維持することができる。
【００３７】
また、本発明に係るピルクラッシャーの機械動作のすべてが軸ピンの回動によって実現し、滑り構造等を使用せず、低騒音の操作を実現し、特に静かな医療場所で操作することに適合し、患者の休憩または医療スタッフの仕事を妨げることを防止できる。
【００３８】
さらに、本発明のＵ字状の可動プラテン２０の表面および／またはＵ字状の固定ストッパー１１の表面に、例えば、横ストライプ、斜ストライプ、縦ストライプ等のストライプおよび／またはパターンが設けられてもよい。これにより、ピル圧砕過程において、押え動作により引き起こされる、ピルが押圧領域に沿ってスライドすることを防止でき、ピル圧砕の効率および効果を向上できる。
【００３９】
またさらに、本発明に係るピルクラッシャーの構造は、簡単な板金加工によって達成できる。例えば、医療用ステンレス鋼を主材料として加工することだけで済み、金属鋳造や、機械加工等の高コストの加工は要らない。このように、コストを下げると同時に、塗装等の表面処理による塗装材料が脱落して偶発的に破裂するピルポーチに入ることによる潜在的なピル汚染の可能性をより徹底的に防止でき、さらに製品の安全性を向上できる。
【００４０】
第２の実施例
図６および図７を参照すると、本発明の第２の実施例に係るピルクラッシャーは、ベース１０と、Ｕ字状の固定ストッパー１１と、Ｕ字状の可動プラテン２０と、リンク３０と、ハンドグリップ４０と、上蓋５０とを含む。本発明の第２の実施例に係るベース１０、Ｕ字状の固定ストッパー１１、Ｕ字状の可動プラテン２０、リンク３０、ハンドグリップ４０、軸ピン２１、３１、４１、２２の位置、連続関係および工作原理は、いずれも第１の実施例と同じであり、ここでは繰り返して説明しない。第１の実施例に比べて、本発明の第２の実施例の相違点は、さらに上蓋５０を含む。上蓋５０は、ベース１０に着脱可能に装着され、且つ、上蓋５０とベース１０の間にピルポーチ室を形成する。ピルポーチ室内には、使用者がピルポーチを取って薬をつめて、ピル圧砕の操作を実現するように、所定数のピルポーチを預けても良い。
【００４１】
同時に、ストップポスト１２は、ハンドグリップを便利に握持するように、ハンドグリップ４０とピルポーチの倉５０の上蓋の距離を保持する。
【００４２】
第３の実施例
図８〜図１５を参照すると、本発明の第３の実施例に係るピルクラッシャーは、ベース１０と、Ｕ字状の半固定ストッパー１１と、Ｕ字状の可動プラテン２０と、リンク３０と、ハンドグリップ４０と、上蓋５０とを含む。本発明の第３の実施例に係るベース１０と、Ｕ字状の可動プラテン２０と、リンク３０と、ハンドグリップ４０とは、第１の実施例と類似する。第１の実施例に比べて、本発明の第３の実施例の相違点は、Ｕ字状の半固定ストッパー１１がベースに固定されず、ベースとＵ字状の半固定ストッパー１１の間に予備されるウェッジ空間１４３内で微かに回動できることである（ピルクラッシャーの内部の各部品の位置関係および工作原理をより明確に見るため、図１０〜図１５において上蓋５０を省略する）。
【００４３】
具体的には、Ｕ字状の半固定ストッパー１１は、ベース１０に設けられる。Ｕ字状の半固定ストッパー１１は、ストッププレート１１５と両側壁１１１、１１２とを備える。Ｕ字状の半固定ストッパー１１の側壁１１１、１１２の下部とベース１０上の固定ブロック１３とは枢着し、Ｕ字状の半固定ストッパー１１の側壁１１１、１１２の上部とリンク３０の第１端とは第２の軸ピン３１によって枢着する。Ｕ字状の半固定ストッパー１１の両側壁１１１、１１２の開放端には、それぞれ圧縮可能なバッファースプリング１４１、１４２を設け、バッファースプリング１４１、１４２の一端は、Ｕ字状の半固定ストッパー１１の側壁に弾接され、他端はベース１０に弾性支持され、これにより、Ｕ字状の半固定ストッパー１１の側壁１１１、１１２の底縁とベース１０の間にウェッジ空間１４３を形成する。バッファースプリング１４１、１４２の取り付けを協力するため、Ｕ字状の半固定ストッパー１１の各側壁１１１、１１２の開放端は、いずれもバッファースプリング１４１、１４２を装着するためのｍ字状の切り目が開設される。バッファースプリング１４１、１４２は、ｍ字状の切り目にそれぞれ嵌入される。
【００４４】
Ｕ字状の可動プラテン２０は、Ｕ字状の半固定ストッパー１１に覆設され、且つ、Ｕ字状の半固定ストッパー１１の第一側に位置するプラテン２０４と、プラテン２０４に接続する両側壁２０３、２０５とを備える、両側壁２０３、２０５がＵ字状の半固定ストッパー１１に枢着するため、Ｕ字状の可動プラテン２０がＵ字状の半固定ストッパー１１に対して回転可能になると共に、プラテン２０４とＵ字状の半固定ストッパー１１の間に圧合や開放可能なＶ字状の圧砕チャンバーを形成する。
【００４５】
本実施例において、Ｕ字状の半固定ストッパー１１の側壁１１１、１１２はＬ字状であり、Ｕ字状の可動プラテン２０の側壁２０３、２０５は逆Ｌ字状であるが、これに限定されず、他の形状であっても良い。Ｕ字状の可動プラテン２０の側壁２０３、２０５の下部とＵ字状の半固定ストッパー１１の側壁１１１、１１２の下部は、第１の軸ピン２１によって枢着され、Ｕ字状の可動プラテン２０の側壁２０３、２０５の上部は、第４の軸ピン２２によってハンドグリップ４０に枢着される。
【００４６】
リンク３０は、Ｕ字状の半固定ストッパー１１の他側に位置し、且つ、Ｕ字状の半固定ストッパー１１に枢着する第１端および第２端を備える。ハンドグリップ４０は、第３の軸ピン４１によってリンク３０の第２端に枢着する第１端と、両側壁２０３、２０５に枢着する枢着部とを備える。ハンドグリップ４０を押下げるにつれて、リンク３０とハンドグリップ４０の間の角度が大きくなり、Ｖ字状の圧砕チャンバーの空間が次第に閉合され、ハンドグリップ４０を持ち上げるにつれて、リンク３０とハンドグリップ４０の間の角度が小さくなり、Ｖ字状の圧砕チャンバーの空間が次第に開放される。
【００４７】
第１の実施例と類似し、本発明の第２の実施例におけるＵ字状の可動プラテン２０の表面および／またはＵ字状の半固定ストッパー１１の表面に、ストライプおよび／またはパターンが設けられてもよく、これによって、ピル圧砕の効率および効果をさらに向上できる。
【００４８】
ピルクラッシャーは、上蓋５０をさらに含み、当該上蓋５０がベース１０に着脱可能に装着されると共に、上蓋５０とベース１０の間にピルポーチ室を形成する。上蓋５０は、さらにＵ字状の半固定ストッパー１１およびＵ字状の可動プラテン２０を部分的に覆うと共に、ハンドグリップ４０が外へ延在するための開口を設ける。上蓋５０は、ピルクラッシャーの大部分部品を覆うが、ピルポーチをＶ字状の圧砕チャンバーに入ることを妨げないように、少なくともＶ字状の圧砕チャンバーが開放する時のＵ字状の可動プラテン２０とＵ字状の半固定ストッパー１１の間の開口を露出する。さらに、上蓋５０がリンク３０および軸ピン２１、２２、３１、４１等を覆うため、軸ピンとリンクの間にほこりが集められることによる交差汚染を防止できると共に、ピルクラッシャーの全体の美観を高め、且つ、通常使用に悪影響を及ぼさない。
【００４９】
ピルクラッシャーが収容状態にある場合、ベース１０に設けられ、ラバーパッド１２１が付けられているストップポスト１２は、ハンドグリップを便利に握持するように、ハンドグリップ４０が適当位置に位置するように支持し、ハンドグリップ４０とピルポーチ室の上蓋５０との間の距離を保持できる。
【００５０】
つまり、Ｕ字状の半固定ストッパー１１の両側壁（即ち、側壁）のそれぞれの上下に、軸ピンを固定するための一対の軸孔が設けられ、Ｕ字状の可動プラテン２０の底部が軸ピン２１によってＵ字状の半固定ストッパー１１の両側壁の下部に接続するため、Ｕ字状の可動プラテン２０が軸ピン２１を回ってＵ字状の半固定ストッパーに対して押え動作を実現でき、リンク３０の前端はＵ字状の半固定ストッパーの両側壁の上部に、軸ピン３１によって接続し、リンクの他端は、軸ピン４１によってハンドグリップの前端（即ち、第１端）に接続し、ハンドグリップ前端の後方側（即ち、枢着部）は、軸ピン２２によってＵ字状の可動プラテンの上部の末端に接続し、これにより、Ｕ字状の可動プラテンがＵ字状の半固定ストッパーの両側壁の下部に接続する軸ピン２１を回って回動でき、ハンドグリップ前端の後方側は、軸ピン２２によってＵ字状の可動プラテンのＬ字状の側面上部末端に接続できる。４つの軸ピン２１、２２、３１、４１は、それらに接続される要素が軸ピン２１、２２、３１、４１をそれぞれ回って回動するようにする。
【００５１】
本発明に係るピルクラッシャーは、Ｕ字状の可動プラテンの底部とＵ字状の半固定ストッパー１１両側壁の底部との接続、リンク３０の前端とＵ字状の半固定ストッパー１１の上部との接続、ハンドグリップ４０の前端とリンク３０の後端との接続、ハンドグリップ４０の前端の後方側部とＵ字状の可動プラテン２０の上部の末端との接続によって、ハンドグリップ４０が回動する場合、Ｕ字状の可動プラテン２０が軸ピン２１を回ってＵ字状の半固定ストッパーに対する押え動作を引き起こして、ハンドグリップ４０の回動をＵ字状の可動プラテンの回動に転換させる。圧砕する必要がある薬品がビニール袋に入れられてＵ字状の可動プラテン２０とＵ字状の半固定ストッパー１１の間に介在する場合、Ｕ字状の可動プラテン２０のＵ字状の半固定ストッパー１１への回動により、ピルを押圧して粉砕できる。
【００５２】
本発明の具体的な実施態様は、以下のとおりである。
【００５３】
図１３に示すように、ピル圧砕を行う前に、ハンドグリップ４０の遊端（リンク３０が接続されていない一端）が持ち上げられて、Ｕ字状の可動プラテン２０を駆動してＵ字状の半固定ストッパー１１から離れる方向に回動し、この時、ピルが入れられたビニール袋をＵ字状の可動プラテン２０とＵ字状の半固定ストッパー１１の間に介在させ、その後、ハンドグリップ４０を図３に示す矢印方向へ押下げる。この時、Ｕ字状の可動プラテン２０がリンク３０およびハンドグリップ４０に引かれる場合、Ｕ字状の半固定ストッパー１１へ移動し、Ｕ字状の可動プラテン２０とＵ字状の半固定ストッパー１１の間に位置する薬品を押出して粉砕を実現する。ハンドグリップ４０が完成に押下げられた後のピルクラッシャーは、図４および図５に示す状態になる。この時、Ｕ字状の半固定ストッパー１１は押圧を受けた後、両側壁に圧縮固定されたスプリングによって、軸ピン２１を回ってベース方向へ予備されるウェッジ空間１４３で微かに回動でき、可動プラテン２０の推力を緩和する役割を果たせる。すなわち、Ｕ字状の半固定ストッパー１１は、逆Ｌ字状可動プラテン２０の推動に伴って後退でき、プラテン２０の推力がハンドグリップ４０へ直接的に伝導されることを有効に緩和し、使用者が省力化や操作容易の感覚を感じできる。
【００５４】
以上からわかるように、本発明に係るピルクラッシャーは、てこの機械原理を十分に利用して、ハンドグリップ４０の施力端の力を最大限度に拡大／転換させてピルの押圧領域へ伝達して、有効なピル圧砕操作を形成するため、省力を実現し、操作者に対する長期使用による手首部や肘部の潜在的な損傷を減少できる。さらに、本実施例は、半可動ストッププレート１１と底板１０の間に設けられたバッファースプリング１４１、１４２によってウェッジ空間１４３を形成し、有効にピルを圧砕するに必要な圧力を確保できると同時に、ハンドグリップからの、余計なきつい感覚を生成する力を有効に緩和できる。
【００５５】
第４の実施例
第３の実施例との相違点は、図１６に示すように、本実施例において、第１の実施例に加え、第２の軸ピン３１、第３の軸ピン４１および第４の軸ピン２２における１本または複数本の軸ピンに対応する軸孔に弾性ブシュ４０１がそれぞれ設けられる。このように、ハンドグリップに力を加える過程において、３つの軸はいずれも弾性ブシュ４０１を押圧することにより軽微な移動を実現でき、これにより、３つの軸との間の角度を変え、てこの拡大倍数を調整し、ピルの押圧領域が急速に小さくならない場合、ハンドグリップの押下げ距離を変え、緩和作用を果たして、使用者の「省力」の感覚を増加する。
【００５６】
図１４および図１５との主な相違点は、ハンドグリップ４０の圧力を取り除いた後、軸孔における弾性ブシュ４０１が弾力によって軸ピンを通常の位置に回復させる。他の要素はいずれも第１の実施例と同じであり、ここでは繰り返して説明しない。
【００５７】
第５の実施例
本実施例において、第３の実施例に加え、第２の軸ピン３１、第３の軸ピン４１および第４の軸ピン２２における１本または複数本の軸ピンに対応する軸孔に弾性ブシュ４０１がそれぞれ設けられる。即ち、第３の実施例におけるバッファースプリング１４１、１４２によってＵ字状の半固定ストッパー１１とベース１０の間にウェッジ空間１４３を形成する緩和構造、および第４の実施例における弾性ブシュ４０１によって緩和する構造を両立させることができ、ハンドグリップからの、余計のきつい感覚を生成する力を緩和する役割をより十分に果たせる。
【００５８】
以上からわかるように、本発明の実施例に係るピルクラッシャーは、Ｖ字状の圧砕チャンバーおよびリンク構造を採用することにより、使用者、特に医療機構の使用者のために良いピル圧砕機器を提供する。次に、本発明は、てこの省力原理を十分に利用して、特に２つのバッファースプリングによって圧縮や回復可能なウェッジ領域を形成することにより、ピル圧砕の反作用力を大幅に緩和し、使用者の負荷を軽減でき、特に医療スタッフの長期使用による手首部や肘部の潜在的な損傷を減少できる。同時に、開放するピルの押圧領域および押圧表面のパターン等が滑り止め構造であるため、ピルがＶ字状の圧砕動作におけるピルポーチ内の潜在的な滑りを防止し、効率を向上させ、ピル圧砕の効果を強め、また、便利、清潔であり、交差汚染等の発生を防止できる。このため、本発明の実施例に係るピルクラッシャーは、安全である、省力化が図れる、高効率である、静かである、加工しやすい、低コストである、清潔を維持しやすい、交差汚染を有効に防止できる等の長所を備える。
【００５９】
以上、本発明の具体的な実施例を説明した。理解すべきなことは、本発明が上述特定の実施態様に限定されず、当業者が特許請求の範囲内で様々な変形や修正を行え、これが本発明の本質内容を影響しない。
【符号の説明】
【００６０】
１０  ベース
１１  ストッパー
１２  ストップポスト
１３  固定ブロック
２０  可動プラテン
２１、２２、３１、４１  軸ピン
３０  リンク
４０  ハンドグリップ
５０  ピルポーチ室の上蓋
５０  上蓋
１１１、１１２  側壁
１１３、１１４  滑り止めストライプ
１１５  ストッププレート
１２１  ラバーパッド
１４１、１４２  バッファースプリング
１４３  ウェッジ空間
２０３、２０５  側壁
２０４  プラテン
４０１  弾性ブシュ
【図１】
0006018335.tif 000002
【図２】
0006018335.tif 000003
【図３】
0006018335.tif 000004
【図４】
0006018335.tif 000005
【図５】
0006018335.tif 000006
【図６】
0006018335.tif 000007
【図７】
0006018335.tif 000008
【図８】
0006018335.tif 000009
【図９】
0006018335.tif 000010
【図１０】
0006018335.tif 000011
【図１１】
0006018335.tif 000012
【図１２】
0006018335.tif 000013
【図１３】
0006018335.tif 000014
【図１４】
0006018335.tif 000015
【図１５】
0006018335.tif 000016
【図１６】
0006018335.tif 000017